(57)【要約】      （修正有）【課題】ＡＬＣパネル材とコンクリート材の双方の長所を合わせ、利用性を高めるコンクリート建築用材を提供する。【解決手段】建造物の外側となるところの、固定ボルトの上端側をその材中に埋め込んで配置したＡＬＣパネル材に、コンクリート材を固定ボルトの下端側に流し込み凝固させて形成したコンクリート材層を密着一体化する。固定ボルトの下端側にナットを螺合し、固定ボルト間に鉄製網状物を配設する。【選択図】図２
0003162552.tif 000002
【実用新案登録請求の範囲】
【請求項１】
成形型中に、建造物の外側となるところの、固定ボルトを有するＡＬＣパネル材を配置し、そこに流動的な未凝固のコンクリート材を流し込んでコンクリート材層を形成し、密着一体化させ、前記成形型を除くことによって建材としたことを特徴とするコンクリート建築用材。
【請求項２】
固定ボルトにナットを螺合したことを特徴とする請求項１記載のコンクリート建築用材。
【請求項３】
固定ボルト間に鉄製網状物を配設したことを特徴とする請求項１または請求項２記載のコンクリート建築用材。
【考案の詳細な説明】
【技術分野】
【０００１】  この考案は、コンクリート建築用材に関するものである。
【背景技術】
【０００２】    コンクリート材は建築用材として多用されており、代表的には流動的な未凝固のコンクリート材を、建築現場において準備した型中に直接流し込み凝固させるところの、いわゆる打ち込みにより建造物などを構築する技術がある。一方、コンクリート製のパネルとして、予め工場などで製作した後、建築現場に運びそれを用いる技術としての、発泡コンクリートパネル（ＡＬＣ版；Ａｕｔｏｃｌａｖｅｄ  ｌｉｇｈｔ  ｃｏｎｃｒｅｔｅ）と、高強度コンクリートパネル（ＰＣ版；プレキャスト鉄筋コンクリート）がある。このうち発泡コンクリートパネル（ＡＬＣ版）は、コンクリート中に無数の小さな気泡が入っているので、軽石のようになっていて、それによって暖かく断熱性にすぐれている。しかしコンクリート自体の強度はなく、また遮音性にも乏しい。一方、高強度コンクリートパネル（ＰＣ版）は、鉄筋を内蔵し、３５０〜５００Ｋｇ／ｃｍ２という高強度であるので強度が高く、緻密なコンクリートそのもので、これは遮音性があり、熱容量は大きく、熱伝導率も高いが、それによってまた室外の熱を室内に取り込み易く、それは室内結露の原因となる。そしてこれら打ち込みによる工法技術とコンクリート製のパネルとは、それぞれ工法としては別個に施工したり、利用されたりしている現状にある。本件出願人は先に、これらの欠点を打開する発案として、特開２００５−２４８６７４「コンクリート建築用材の製法およびその建築材」において、ＡＬＣパネル材に鉄筋を配設し、コンクリート材層を密着一体化させて形成する建築用材を提案したが、さらにこの技術を具体的に利用するに当たっての考案を必要としている。
【先行技術文献】
【特許文献】
【０００３】
【特許文献１】    特開２００５−２４８６７４
【考案の概要】
【考案が解決しようとする課題】
【０００４】    この考案は、コンクリートによる建造物などを構築するに用いるコンクリート建築用材であり、それはＡＬＣパネル材に固定ボルトを配設し、コンクリート材層を密着一体化させて形成する建築用材を得ることを目的として、これによりＡＬＣパネル材とコンクリート材の双方の長所を合わせ、利用性を高めたコンクリート建造物とする。
【課題を解決するための手段】
【０００５】    成形型中に、建造物の外側となる予め形成したＡＬＣパネル材を配置し、その内部には固定ボルトを配置し、そこに流動的な未凝固のコンクリート材を流し込んでコンクリート材層を形成し、密着一体化させ、前記成形型を除くことによって建材としたことを特徴とするコンクリート建築用材の構成とする。
【考案の効果】
【０００６】  この考案の建築用材は、建物に施工使用された際に、室内側に位置することとなるコンクリート材層と、外側に位置することとなるＡＬＣ材とから成り、ＡＬＣパネル材の持つ空間にコンクリート材が浸透して密着性がよく、とくにＡＬＣパネル材中に配置した固定ボルトを介してそれらの一体化が完全となり相互に剥離することが無い。それは外側に位置するところの、軽くて強度が少ない前記ＡＬＣパネル材と、室内側に位置するコンクリート材層の、強度を有するパネル状の建築用材であり、それはただ一回の工程で効率的に得ることができる。この考案の建築用材は、室内外双方ともに耐火性を有する材質であり、それは火災に対する耐火性を充分に確保できる。また外側に位置する前記ＡＬＣパネル材は熱伝導性が少なく断熱性を有し、寒冷地、寒冷期においては内側に位置するコンクリート材層の冷え込みを防ぐことができる。したがって内部において結露が生じ難い。また熱暑期においては熱気を内部に伝えることが少ないので、内部空間が熱暑気より守られる。これらの要因により暖房、冷房の必要性を軽減し、省エネ化につながる。また遮音性については、音は重い物質において遮音性を増すので、この考案では内部に重いコンクリート材層が位置することになり、比較的軽いＡＬＣパネル材のみによっては得られない遮音性を確保できる。
【図面の簡単な説明】
【０００７】
【図１】この考案の建築用材の斜視図。
【図２】この考案の建築用材の成形状態とその内部を示す図。
【考案を実施するための形態】
【０００８】  成形型中に、建造物の外側に位置するところの、固定ボルトを有するＡＬＣパネル材を配置し、そこに流動的な未凝固のコンクリート材を流し込んでコンクリート材層を形成し、それらを前記固定ボルトを介して強固に密着一体化させ、前記成形型を除くことによって建材としたことを特徴とするコンクリート建築用材の構成。
【実施例】
【０００９】  以下、図面を参照して説明する。図１はこの考案の建築用材（Ａ）の斜視図を示し、建造物に施工した際に、外側に位置することとなるＡＬＣパネル材（１）［前述のＡＬＣ版に相当］で形成し、それに内側に位置することとなるコンクリート材層（２）［前述のＰＣ版に相当］を一体的に設けたもので、前記のＡＬＣパネル材（１）に後述する流動的な未凝固のコンクリート材（Ｃ）を打ち込んで凝固させ、それによってＡＬＣパネル材（１）にコンクリート材層（２）を密着一体化させてパネル状の一つの建築用材を構成している。図２は図１の建築用材（Ａ）の成形状態を示すもので、予め用意した成形型（Ｓ）中に、前記の発泡コンクリートで形成したＡＬＣパネル材（１）内に、適宜数の鉄製ボルト（ｂ）を配置し、この鉄製ボルト（ｂ）の一端にはナット（ｎ）を螺合し、その上から流動性のある未凝固のコンクリート材（Ｃ）を前記ＡＬＣパネル材（１）の図示上側の面に流し込み、この未凝固のコンクリート材（Ｃ）が凝固することにより、コンクリート材層（２）となり、その際、前記ＡＬＣパネル材（１）の発泡した空間にコンクリート材（Ｃ）が浸透して一体化が容易となり、ＡＬＣパネル材（１）にコンクリート材層（２）が密着して一体化し、さらにその際、一端にナット（ｎ）を螺合した鉄製ボルト（ｂ）が存在することにより、双方の固定化と強度を助長し、剥離することのないパネル状の一つの建築用材（Ａ）となる。ここでＡＬＣパネル材（１）の厚さは５０〜１００ｍｍ、鉄製ボルト（ｂ）の長さは５０〜１００ｍｍである。そしてコンクリート材（Ｃ）の厚さは鉄製ボルト（ｂ）を優に覆う厚さとする。なおこの際、コンクリート材（Ｃ）に適宜、鉄筋を配することは自由である。なおまた成形にあたり使用する前記ＡＬＣパネル材（１）の数は、複数枚のときは平面状に接触させて［図１で示す狭い方の側面を接触］並べ、建築用材（Ａ）自体の大きさは自由である。このようにして得た建築用材（Ａ）によって建造物を構成する。なお前記した複数本の鉄製ボルト（ｂ）の間に、鉄製網状物を配設することもできる。また鉄製ボルト（ｂ）は他の同効の材質でもよい。
【産業上の利用可能性】
【００１０】  この考案のコンクリート建築用材は、室内側に位置することとなるコンクリート材層と、外側に位置することとなるＡＬＣパネル材とは、ＡＬＣ材の発泡した空間にコンクリート材が浸透して一体化が容易であり、それらは相互に密着して剥離することがない。そして外側に位置することとなる軽くて強度が少ないＡＬＣパネル材と、室内側に位置することとなるコンクリート材層の、強度を有するパネル状の建築用材を、一回の工程で得ることができることにより、従来それぞれ単独で使用されていたこれらの建築材の双方の長所を合わせ持つ建築用材を効率的に得ることができる。この考案のコンクリート建築用材は、室内外に位置する各材の双方ともに耐火性を有する材質によって、防火性を有する建築用材となる。そして外側に位置する前記ＡＬＣパネル材は熱伝導性が少なく断熱性を有し、寒冷期においては内側に位置するコンクリート材層の冷え込みを防ぐことができ、室内における結露の発生を防止し、また熱暑期においては暑気や熱気を内部に伝えることが少ないので、内部空間が外気の高温より守られる。これらにより暖房、冷房の必要性を軽減し、昨今とみに叫ばれる省エネ化につながる。また遮音性については、内部に重いコンクリート材層が位置することにより、軽い前記ＡＬＣパネル材のみによっては得られない遮音性を確保できる。また予めパネルとして製造できるので、建築資材としての運搬、施工などに好都合である。したがってこの考案の建築用材は、ＡＬＣパネル材と鉄筋コンクリート材を一体化した建築用材として、それらの長所を合わせもつ建築用材となる。
【符号の説明】
【００１１】  （１）  ＡＬＣパネル材
（２）  コンクリート材層
（Ａ）  建築用材
（Ｃ）  未凝固のコンクリート材
（Ｓ）  成形型
（ｂ）  固定ボルト
（ｎ）  ナット
【図１】
0003162552.tif 000003
【図２】
0003162552.tif 000004
【手続補正書】
【提出日】平成22年6月21日(2010.6.21)
【手続補正１】
【補正対象書類名】実用新案登録請求の範囲
【補正対象項目名】全文
【補正方法】変更
【補正の内容】
【実用新案登録請求の範囲】
【請求項１】
建造物の外側となるところの、固定ボルトの上端側をその材中に埋め込んで配置したＡＬＣパネル材に、コンクリート材を前記固定ボルトの下端側に流し込み凝固させて形成したコンクリート材層を密着一体化したことを特徴とするコンクリート建築用材。
【請求項２】
固定ボルトの下端側にナットを螺合したことを特徴とする請求項１記載のコンクリート建築用材。
【請求項３】
固定ボルト間に鉄製網状物を配設したことを特徴とする請求項１または請求項２のいずれかに記載のコンクリート建築用材。
【手続補正２】
【補正対象書類名】明細書
【補正対象項目名】０００５
【補正方法】変更
【補正の内容】
【０００５】  建造物の外側となるところの、固定ボルトの上端側をその材中に埋め込んで配置したＡＬＣパネル材に、コンクリート材を前記固定ボルトの下端側に流し込み凝固させて形成したコンクリート材層を密着一体化したことを特徴とするコンクリート建築用材、固定ボルトの下端側にナットを螺合したことを特徴とする前記記載のコンクリート建築用材、固定ボルト間に鉄製網状物を配設したことを特徴とする前記記載のコンクリート建築用材の構成とする。